(57)【要約】【課題】不正行為を阻止するための中扉を設けた構成であっても、遊技機器を筐体内から簡単に取出すことができるようにして、遊技機器の再利用を可能にする。【解決手段】中扉１４は、筐体２に開閉可能に支持される枠部材１５と、枠部材１５に対して着脱可能な透明パネル１６を含む。枠部材１５に、枠部材１５を筐体２に対して閉状態にロックする第１係合部材１８ａ、及び所定の方法に基づいて解錠操作されることにより、第１係合部材１８ａのロックを解除して、枠部材１５の開放を可能にする第１シリンダ錠１８を設ける。透明パネル１６に、透明パネル１６を枠部材１５にロックする第２係合部材２１、及び所定の方法と異なる他の方法で解錠操作されることにより、第２係合部材２１のロックを解除して、透明パネル１６を枠部材１５から取り外し可能とする第２シリンダ錠１９を設ける。【選択図】図２
2008142249.tif 000002
【特許請求の範囲】
【請求項１】
前面が開口し、かつ内部に遊技機器を収容した筐体と、前記筐体の前面に設けられる前扉と、前記前扉の内側で、かつ前記筐体の前面に開閉可能に支持されて前記遊技機器を遮蔽可能な中扉を備えた遊技機において、
前記中扉は、前記筐体に開閉可能に支持される枠部材と、前記枠部材に対して着脱可能で、かつ前記枠部材に取り付けることにより前記遊技機器を遮蔽し、また、前記枠部材から取り外すことにより前記枠部材が閉状態にあっても前記遊技機器を前記筐体から取り出し可能とする透明パネルを含み、
前記筐体または前記枠部材に、前記枠部材を前記筐体に対して閉状態にロックする第１係合部材、及び所定の方法に基づいて解錠操作されることにより、前記第１係合部材のロックを解除して、前記枠部材の開放を可能にする第１ロック手段を設け、
前記枠部材または前記透明パネルに、前記透明パネルを前記枠部材にロックする第２係合部材、及び前記所定の方法と異なる他の方法で解錠操作されることにより、前記第２係合部材のロックを解除して、前記透明パネルを前記枠部材から取り外し可能とする第２ロック手段を設けたことを特徴とする遊技機。
【請求項２】
前面が開口し、かつ内部に遊技機器を収容した筐体と、前記筐体の前面に設けられる前扉と、前記前扉の内側で、かつ前記筐体の前面に開閉可能に支持されて前記遊技機器を遮蔽可能な中扉を備えた遊技機において、
前記中扉は、前記筐体に開閉可能に支持される枠部材と、前記枠部材に開閉可能に支持され、かつ閉状態で前記遊技機器を遮蔽し、また、開状態で前記枠部材が閉状態にあっても前記遊技機器を前記筐体から取り出し可能とする透明パネルを含み、
前記筐体または前記枠部材に、前記枠部材を前記筐体に対して閉状態にロックする第１係合部材、及び所定の方法に基づいて解錠操作されることにより、前記第１係合部材のロックを解除して、前記枠部材の開放を可能にする第１ロック手段を設け、
前記枠部材または前記透明パネルに、前記透明パネルを前記枠部材に対して閉状態にロックする第２係合部材、及び前記所定の方法と異なる他の方法に基づいて解錠操作されることにより、前記第２係合部材のロックを解除して、前記透明パネルの開放を可能とする第２ロック手段を設けたことを特徴とする遊技機。
【請求項３】
前記透明パネルを、前記枠部材に前方から着脱可能としたことを特徴とする請求項１記載の遊技機。
【請求項４】
前記透明パネルを、前記枠部材に上下方向または左右方向から着脱可能としたことを特徴とする請求項１記載の遊技機。
【発明の詳細な説明】
【技術分野】
【０００１】
本発明は、筐体内に各種遊技機器を収容した遊技機に関する。
【背景技術】
【０００２】
従来、スロットマシン等の遊技機においては、各種遊技機器、例えば、遊技を統括的に制御する制御基板、遊技結果に応じてメダル等の遊技媒体を排出するホッパ装置及び遊技媒体の払出率を変更する確率変更設定スイッチ等を収容した筐体と、筐体の前面に開閉可能に設けられる前扉とを備えている。さらに、前扉の内側で、かつ筐体の前面には、筐体の前面開口を開閉可能な透明な板材で形成される中扉が設けられている。
【０００３】
中扉は、各種遊技機器が不正操作者により不正に操作されることを阻止するためのもので、一側部が蝶番により筐体に回動自在に枢支され、また、他端部に設けた係合部材が筐体の一部に係合することによって、筐体の前面開口を閉塞するように拘束される。そして、中扉に設けたシリンダ錠が解錠操作されない限り、中扉を開けられないようにしている（例えば、特許文献１参照）。
【特許文献１】特開２００３−１１７０５５号公報
【発明の開示】
【発明が解決しようとする課題】
【０００４】
上記特許文献１に記載された遊技機においては、シリンダ錠が遊技店側で任意に設定できる暗号コード可変式シリンダ等が採用されている場合、その遊技店に係わる者以外では、シリンダ錠を解錠操作して中扉を開けることはできない。そのため、遊技機メーカが遊技機を引き取って、筐体内に収容された各種遊技機器を再利用しようと試みても、各種遊技機器を筐体内から取り出すことができず、再利用できないという問題点がある。
【０００５】
本発明は、上述のような従来の課題に鑑み、不正行為を阻止するための中扉を設けた構成であっても、遊技機器を筐体内から簡単に取り出すことができるようにして、遊技機器の再利用を可能にした遊技機を提供することを目的とする。
【課題を解決するための手段】
【０００６】
本発明によると、上記課題は、次のようにして解決される。
（１）前面が開口し、かつ内部に遊技機器を収容した筐体と、前記筐体の前面に設けられる前扉と、前記前扉の内側で、かつ前記筐体の前面に開閉可能に支持されて前記遊技機器を遮蔽可能な中扉を備えた遊技機において、前記中扉は、前記筐体に開閉可能に支持される枠部材と、前記枠部材に対して着脱可能で、かつ前記枠部材に取り付けることにより前記遊技機器を遮蔽し、また、前記枠部材から取り外すことにより前記枠部材が閉状態にあっても前記遊技機器を前記筐体から取り出し可能とする透明パネルを含み、前記筐体または前記枠部材に、前記枠部材を前記筐体に対して閉状態にロックする第１係合部材、及び所定の方法に基づいて解錠操作されることにより、前記第１係合部材のロックを解除して、前記枠部材の開放を可能にする第１ロック手段を設け、前記枠部材または前記透明パネルに、前記透明パネルを前記枠部材にロックする第２係合部材、及び前記所定の方法と異なる他の方法で解錠操作されることにより、前記第２係合部材のロックを解除して、前記透明パネルを前記枠部材から取り外し可能とする第２ロック手段を設ける。
【０００７】
（２）前面が開口し、かつ内部に遊技機器を収容した筐体と、前記筐体の前面に設けられる前扉と、前記前扉の内側で、かつ前記筐体の前面に開閉可能に支持されて前記遊技機器を遮蔽可能な中扉を備えた遊技機において、前記中扉は、前記筐体に開閉可能に支持される枠部材と、前記枠部材に開閉可能に支持され、かつ閉状態で前記遊技機器を遮蔽し、また、開状態で前記枠部材が閉状態にあっても前記遊技機器を前記筐体から取り出し可能とする透明パネルを含み、前記筐体または前記枠部材に、前記枠部材を前記筐体に対して閉状態にロックする第１係合部材、及び所定の方法に基づいて解錠操作されることにより、前記第１係合部材のロックを解除して、前記枠部材の開放を可能にする第１ロック手段を設け、前記枠部材または前記透明パネルに、前記透明パネルを前記枠部材に対して閉状態にロックする第２係合部材、及び前記所定の方法と異なる他の方法に基づいて解錠操作されることにより、前記第２係合部材のロックを解除して、前記透明パネルの開放を可能とする第２ロック手段を設ける。
【０００８】
（３）上記(１)項において、前記透明パネルを、前記枠部材に前方から着脱可能とする。
【０００９】
（４）上記(１)項において、前記透明パネルを、前記枠部材に上下方向または左右方向から着脱可能とする。
【発明の効果】
【００１０】
本発明によれば、次のような効果が奏せられる。
請求項１記載の発明によると、中扉における透明パネルの第２ロック手段を解錠操作して、透明パネルを枠部材から取り外すことにより、中扉における枠部材を閉状態にロックしたまま、筐体内の遊技機器を簡単に取り出すことができる。これにより、遊技機器の再利用を図ることができる。
【００１１】
請求項２記載の発明によると、中扉における透明パネルの第２ロック手段を解錠操作して、透明パネルを開くことにより、中扉における枠部材を閉状態にロックしたまま、筐体内の遊技機器を簡単に取り出すことができる。これにより、遊技機器の再利用を図ることができる。
【００１２】
請求項３記載の発明によると、透明パネルを、枠部材の前方から簡単に取り付けたり、取り外したりすることができる。
【００１３】
請求項４記載の発明によると、透明パネルを、枠部材に確実に取り付けることができる。
【発明を実施するための最良の形態】
【００１４】
以下、本発明の一実施形態を、図面に基づいて説明する。図１は、本発明の一実施形態を適用した遊技機の斜視図を示す。なお、以下の説明においては、図１における左斜め下方を「前方」とし、右斜め上方を「後方」とし、左斜め上方を「左方」とし、右斜め下方を「右方」とする。
【００１５】
図１に示すように、遊技機１としてのスロットマシンは、前面が開口した正面視矩形の筐体２と、筐体２の左側部に上下方向を向く上下１対の蝶番（図示略）により開閉可能に枢支された前扉３とを備える。
【００１６】
図２に示すように、筐体２内には、遊技機器をなす、遊技を統括的に制御する主制御基板４、遊技に係わる演出情報等を出力可能な副制御基板５、複数種類の図柄、数字等で構成される識別情報を変動表示及び停止表示可能な左、中、右の３個の回転リール６、遊技媒体であるメダルを貯留及び払出可能なホッパ装置７及び遊技機１の各種電気部品に電力を供給する電源装置８等の遊技機器が収容されている。電源装置８の操作面には、メダルの払出率を変更する確率変更設定スイッチ８１が設けられている。
【００１７】
なお、主制御基板４及び回転リール６は、筐体２内を上下に仕切る仕切板２０よりも上方に配置され、また、ホッパ装置７及び電源装置８は、仕切板２０よりも下方に配置されている。
【００１８】
図１に示すように、前扉３の前面には、各回転リール６の識別情報を３こまずつ透視可能な識別情報表示窓３１が設けられ、また、識別情報表示窓３１の下方には、遊技を開始するときにメダルが投入されるメダル投入部１０、メダルの賭数を設定するベットスイッチボタン１１、全ての回転リール６を一斉に回転させるときに操作されるスタートスイッチレバー１２、各回転リール６の回転を個別に停止させるときに操作される３個のストップスイッチボタン１３等が設けられている。
【００１９】
遊技を開始する場合には、遊技者がメダルをメダル投入部１０に投入して、ベットスイッチボタン１１を操作して遊技の賭数を設定した後、スタートスイッチレバー１２を操作する。これにより、各回転リール６が一斉に回転し、所定時間経過後に各回転リール６に対応する各ストップスイッチボタン１３を順次操作して、各回転リール６を停止させる。
【００２０】
各回転リール６が停止したときの、識別情報表示窓３１内の有効ライン上に並ぶ左、中、右の識別情報の組み合わせにより、入賞の有無、及び賞の大小が決定され、入賞態様に応じた数のメダルがホッパ装置７から前扉３の下部に設けられた受皿３２に払い出される。
【００２１】
図２に示すように、前扉３の内側で、かつ筐体２の前面には、仕切板２０を境にして、筐体２の前面開口の上半分を開閉可能な中扉１４が設けられている。
【００２２】
図３に示すように、中扉１４は、正面視矩形の枠状の枠部材１５と、枠部材１５の内側、すなわち枠部材１５の開口に前方から着脱可能に取り付けられる透明なアクリル板等により形成される透明パネル１６を含んで構成される。
【００２３】
枠部材１５は、左辺部１５１が上下の蝶番１７により筐体２の左側部に回動自在に枢支されるとともに、右辺部１５２の上下中央部には、第１ロック手段をなす第１シリンダ錠１８が設けられ、また同じくその裏面側には、第１シリンダ錠１８の操作に基づいて、筐体２の一部に係脱可能な第１係合部材１８ａ（図３参照）が設けられている。
【００２４】
第１シリンダ錠１８は、遊技店が所有している所定の鍵を使用するか、または遊技店が設定した暗号コードを入力することによって解錠操作が可能である。第１係合部材１８ａは、第１シリンダ錠１８の操作に基づいて図３に示す矢印方向へ作動し、筐体２の一部に係合することにより、枠部材１５を閉状態にロックする。
【００２５】
透明パネル１６は、前方から枠部材１５の開口に緊密に嵌め込み可能であるとともに、枠部材１５に取り付けられることにより、筐体２内に収容された主制御基板４及び回転リール６を遮蔽し、また、枠部材１５から取り外すことにより、枠部材１５が閉状態にあっても主制御基板４及び回転リール６を筐体２から取り出し可能な大きさを有している。
【００２６】
透明パネル１６の４隅の近傍には、第２ロック手段をなす第２シリンダ錠１９が設けられ、また同じく裏面側には、第２シリンダ錠１９の操作に基づいて、枠部材１５に対して係脱可能な第２係合部材２１が設けられている。
【００２７】
第２シリンダ錠１９は、第１シリンダ錠１８の操作と異なる操作、例えば、遊技機器を再利用する遊技機メーカが所有している所定の鍵または遊技機メーカが設定した暗号コードを入力することにより操作可能である。第２係合部材２１は、第２シリンダ錠１９の操作に基づいて図３に示す矢印方向へ作動し、枠部材１５に係合することにより、透明パネル１６を枠部材１５から取り外し不能にロックする。
【００２８】
透明パネル１６を枠部材１５の開口に嵌め込んで、全ての第２シリンダ錠１９の操作により、全ての第２係合部材２１を透明パネル１６の外周より外側に突出した位置に作動させることにより、全ての第２係合部材２１が枠部材１５に係合して、透明パネル１６を枠部材１５に取り外し不能にロックすることができる。また、各第２シリンダ錠１９を解錠操作して、各第２係合部材２１を透明パネル１６の外周より内側に没入した位置に作動させることによって、透明パネル１６を枠部材１５から取り外すことができる。
【００２９】
中扉１４は、枠部材１５に透明パネル１６を嵌め込んだ状態で、第１係合部材１８ａを筐体２の一部に係合させることによって、筐体２の前面開口の上半分を閉塞するように拘束される。この状態においては、中扉１４の透明パネル１６が、筐体２内に収容された主制御基板４及び回転リール６を遮蔽し、不正具を用いての不正な操作を阻止する。
【００３０】
筐体２内の遊技機器の検査、修理、交換等を行なう場合には、第１シリンダ錠１８を解錠操作して、第１係合部材１８ａのロックを解除して中扉１４を開放する。
【００３１】
中扉１４の枠部材１５が閉状態に拘束された状態において、第２シリンダ錠１９を解錠操作することにより、第２係合部材２１のロックを解除して、枠部材１５を閉状態に拘束したまま、透明パネル１６を枠部材１５から簡単に取り外すことができる。したがって、遊技機メーカが遊技機１を遊技店から回収した場合、中扉１４が第１シリンダ錠１８により施錠されていても、第２シリンダ錠１９を解錠操作することによって、各種遊技機器を筐体２内から取り出して、各種遊技機器の再利用を行うことができる。
【００３２】
図４は、本発明における他の実施例を示す。この実施例においては、透明パネル１６Ａの下端部を、枠部材１５の下辺部１５３に左右の蝶番２２により開閉可能に支持するとともに、透明パネル１６Ａの上部に、１個の第２シリンダ錠１９及び第２シリンダ錠１９の操作により作動可能な１個の第２係合部材２１が設けられている。
【００３３】
透明パネル１６Ａを枠部材１５に対して閉じた状態で、第２係合部材２１を枠部材１５の上辺部１５４に係合させることにより、透明パネル１６Ａは、枠部材１５に対して閉状態にロックされる。また、第２シリンダ錠１９を解錠操作して、第２係合部材２１を枠部材１５から離脱させることにより、透明パネル１６Ａは、蝶番２２を支点にして前方へ回動可能となって、枠部材１５の開口、すなわち筐体２の開口を開放することができる。この実施例においては、１個の第２シリンダ錠１９の操作によって、透明パネル１６Ａを簡単に開閉することができる。
【００３４】
図５は、本発明におけるさらに他の実施例を示す。この実施例における中扉１４の枠部材２３は、上方が開口する正面視ほぼ上向きコ字型をなすとともに、左、右辺部２３１、２３２には、透明パネル１６Ｂの両側端を上方から差し込み可能な溝部２３１ａ、２３２ａが設けられている。
【００３５】
透明パネル１６Ｂの左右両側部には、第２シリンダ錠１９が設けられ、また、裏面側には、第２シリンダ錠１９の操作により矢印方向へ作動可能な第２係合部材２１が設けられている。
【００３６】
透明パネル１６Ｂを枠部材２３の溝部２３１ａ、２３２ａに上方から差し込んで、左右の第２係合部材２１を左、右辺部２３１、２３２に設けた係合孔２３１ｂ、２３２ｂに係合させることにより、透明パネル１６Ｂは、枠部材２３から取り外し不能にロックされる。また、左右の第２シリンダ錠１９を解錠操作して、左右の第２係合部材２１を枠部材２３の係合孔２３１ｂ、２３２ｂから離脱させることにより、透明パネル１６Ｂを、上方へ移動させて、枠部材２３から取り外すことができる。
【００３７】
以上、本発明の一実施形態について説明したが、本発明の要旨を逸脱しない範囲内で、上記実施形態に対して、次のような種々の変形や変更を施すことが可能である。
（ｉ）遊技機１を、遊技媒体がメダル（コインを含む）とするスロットマシンに代えて、遊技媒体がパチンコ玉であるスロットマシンとする。
（ii）中扉１４を、仕切板２０を境にして、筐体２の前面開口の下半分または全部を閉塞し得るものとする。筐体２の前面開口の下半分を閉塞した場合には、ホッパ装置７及び電源装置８の不正操作を防止することができる。また、筐体２の前面開口の全部を閉塞した場合には、全ての遊技機器の不正操作を阻止することができる。
（iii）第１シリンダ錠１８及び第１係合部材１８ａを、筐体２側に設ける。
（iv）第２シリンダ錠１９及び第２係合部材２１を枠部材１５、２３側に設ける。
（ｖ）第１、２ロック手段を、第１、２シリンダ錠１８、１９に代えて他の形態の錠を採用する。
（vi）図５に示す実施例において、透明パネル１６Ｂを枠部材２３に対して左右方向から着脱可能とする。
【図面の簡単な説明】
【００３８】
【図１】本発明の一実施形態を適用した遊技機の斜視図である。
【図２】前扉を開けた状態の遊技機の斜視図である。
【図３】中扉の分解斜視図である。
【図４】他の実施例における中扉の斜視図である。
【図５】さらに他の実施例における中扉の斜視図である。
【符号の説明】
【００３９】
１  遊技機
２  筐体
３  前扉
４  主制御基板
５  副制御基板
６  回転リール
７  ホッパ装置
８  電源装置
１０  メダル投入部
１１  ベットスイッチボタン
１２  スタートスイッチレバー
１３  ストップスイッチボタン
１４  中扉
１５  枠部材
１６、１６Ａ、１６Ｂ  透明パネル
１７  蝶番
１８  第１シリンダ錠（第１ロック手段）
１８ａ  第１係合部材
１９  第２シリンダ錠（第２ロック手段）
２０  仕切板
２１  第２係合部材
２２  蝶番
２３  枠部材
３１  識別情報表示窓
３２  受皿
８１  確率変更設定スイッチ
１５１  左辺部
１５２  右辺部
１５３  下辺部
１５４  上辺部
２３１  左辺部
２３２  右辺部
２３１ａ、２３２ａ  溝部
２３１ｂ、２３２ｂ  係合孔
【図１】
2008142249.tif 000003
【図２】
2008142249.tif 000004
【図３】
2008142249.tif 000005
【図４】
2008142249.tif 000006
【図５】
2008142249.tif 000007